(57)【要約】【課題】貯留皿の下部部分への放火による悪戯があっても、変形したり火災を起こしたりしない遊技機を提供する。【解決手段】遊技盤５面に打ち込まれた遊技球が入賞口２１に入賞すると、裏面側に設けられる払出手段２７から所定個数の賞球が通路樋２８を介して前面側の球受皿９に払い出され貯留される遊技機１であって、前記球受皿９は遊技球を貯留する皿部９ａ，９ｂと該皿部９ａ，９ｂを周側を覆うカバー体３２を備え、下面は難燃又は不燃部材により形成される枠体３５が前記皿部９ａ，９ｂの底壁と所定の間隔をもって着脱自在に設けられる。【選択図】図３
2011167456.tif 000002
【特許請求の範囲】
【請求項１】
遊技媒体を投入又は遊技盤面に打ち込んで遊技が行われ、裏面側に設けられる払出手段から所定個数の遊技媒体が通路樋を介して前面側の貯留皿に払い出され貯留される遊技機であって、
前記貯留皿は遊技媒体を貯留する皿部と該皿部の周側を覆い下方が開放したカバー体を有し、前記皿部の底壁と所定の間隔をもって難燃又は不燃部材により形成される枠体が着脱自在に設けられることを特徴とする遊技機。
【請求項２】
前記皿部の底壁には遊技媒体が排出される排出孔が開設され、前記枠体には前記排出孔と連通する落下口が形成されると共に前記排出孔を開閉する開閉部材が設けられ、該開閉部材が難燃又は不燃部材により形成される請求項１記載の遊技機。
【発明の詳細な説明】
【技術分野】
【０００１】
本発明は、前面側に遊技媒体を貯留する貯留皿が設けられ、裏面側に通路樋を介して遊技媒体を貯留皿に払い出す払出手段が設けられた遊技機に関する。
【背景技術】
【０００２】
遊技機において、例えばぱちんこ機は、遊技盤面に打ち込まれた遊技球が入賞口に入賞すると、裏面側に設けられる球払出装置から所定個数の賞球を通路樋を介して前面側の貯留皿に払い出し貯留される。この貯留皿や通路樋の多くは成形上の利点等からＡＢＳ樹脂等の合成熱可塑性樹脂により形成されており、一部の遊技客の中には、遊技に負けた腹いせにテッシュペーパー等を丸めて貯留皿の球排出口から通路樋に向けて入れ、ライター等で火を付けて通路樋を変形させたり、貯留皿に直接放火したりする悪戯をし、それによってぱちんこ機を使用できなくしたり、営業ができないようにしたりする事件を起こすことがあった。
【０００３】
また、従来の球受皿は、装飾板の前面にパチンコ球を貯留する球受皿本体とその前面を覆うカバー部材とで構成され、球受皿本体の底壁とカバー部材とが近接した状態にある（例えば、特許文献１参照）。
【０００４】
また、装飾板の前面に受皿本体が設けられ、その受皿本体に隣接してフェノール樹脂等の熱硬化性樹脂により形成される灰皿が設けられている。そして、灰皿の周縁部はタバコの火により焦げないようにアルミニウム板等の耐熱耐火部材を被覆して、装飾板をタバコの火より保護している遊技機は提案されている（例えば、特許文献２参照）。
【０００５】
また、遊技球を遊技者側に排出する排出通路の全長の内、少なくとも出口付近を耐火部材で形成する遊技機は提案されている（例えば、特許文献３参照）。
【先行技術文献】
【特許文献】
【０００６】
【特許文献１】特開平１１−１１４１７９号公報
【特許文献２】特開昭６０−４５３６９号公報
【特許文献３】特開２００５−２７０３１３号公報
【発明の概要】
【発明が解決しようとする課題】
【０００７】
特許文献１に開示された遊技機にあっては、球受皿本体の底壁とカバー部材とが近接した状態にあるため、貯留皿の下部に直接放火したりする悪戯をした場合、カバー体が変形・燃焼するのはもちろんのこと、近接した球受皿本体も変形してしまい、ひいては球受皿にも着火して延焼してしまい遊技機が使用できなくなってしまう問題がある。
【０００８】
また、特許文献２に開示された遊技機にあっては、アルミニウム板等の耐熱耐火部材が被覆してあるので、簡単に焦げたりはしないが、装飾板の前面に耐熱耐火部材が直接添設されているだけであるので、長時間火を近づけると表面の耐熱耐火部材には変化がなくても、裏の装飾板が変形したり焦げたりすることがある。ともすると、耐熱耐火部材の内側から発火して遊技機が使用できなくなることがある。
【０００９】
また、特許文献３に開示された遊技機にあっては、排出通路の全長の内、少なくとも出口付近を耐火部材で形成するようにしたので、排出通路への悪戯には対応できるものの、球受皿の下面への放火には対応できておらず、最も悪戯され易い目立たない球受皿の下面へ放火されると、球受皿の下面が変形したり焦げたりして、最後には着火して遊技機が焼損して使用できなくなることがある。
【００１０】
本発明は、上記した事情に鑑みてなされたもので、球受皿の下部部分への放火による悪戯があっても、変形したり火災を起こしたりしない遊技機を提供することを課題とする。
【課題を解決するための手段】
【００１１】
上記課題を解決するために、本発明の遊技機は、遊技媒体を投入又は遊技盤面に打ち込んで遊技が行われ、裏面側に設けられる払出手段から所定個数の遊技媒体が通路樋を介して前面側の貯留皿に払い出され貯留される遊技機であって、前記貯留皿は遊技媒体を貯留する皿部と該皿部の周側を覆い下方が開放したカバー体を有し、前記皿部の底壁と所定の間隔をもって難燃又は不燃部材により形成される枠体が着脱自在に設けられることを特徴とする。ここでいう難燃又は不燃部材とは、アルミニウム，ステンレス鋼の金属の他に合成樹脂としては酸素指数（ＪＩＳ  Ｋ  ７２０１「酸素指数法による高分子材料の燃焼試験法」に基づく）が２６以上のものとする。
【００１２】
また、前記皿部の底壁には遊技媒体が排出される排出孔が開設され、前記枠体には前記排出孔と連通する落下口が形成されると共に前記排出孔を開閉する開閉部材が設けられ、該開閉部材が難燃又は不燃部材により形成される。
【発明の効果】
【００１３】
本発明によれば、皿部を備えた貯留皿の下面に難燃又は不燃部材により形成される枠体を皿部の底壁と所定の間隔をもって着脱自在に設けることにより、貯留皿の下部部分への放火による悪戯があっても、皿部が変形したり着火して火災を起こしたりすることはない。そして、例え放火され枠体に煤が付いたとしても枠体のみを交換するだけでそのまま遊技機を使用することができる。
【００１４】
また、本発明によれば、皿部の底壁には遊技媒体が排出される排出孔が開設され、前記枠体には前記排出孔と連通する落下口が形成されると共に前記排出孔を開閉する開閉部材が設けられることから、枠体に開閉部材等の球抜き手段を予めユニット化することができ、組み付けの作業性を向上させることができる。
【図面の簡単な説明】
【００１５】
【図１】ぱちんこ機の正面図である。
【図２】ぱちんこ機の背面図である。
【図３】球受皿から枠体を外した分解斜視図である。
【図４】枠体の斜視図である。
【図５】ぱちんこ機の底面図である。
【図６】図５のＡ−Ａ線断面図である。
【発明を実施するための形態】
【００１６】
以下に、この発明を実施するための最良の形態について図面を参照して説明する。遊技機としてのぱちんこ機１は、図１及び図２に示すように、そのぱちんこ機１の外郭を形成する額縁状の外枠２を備え、その外枠２の前面に一側を軸支手段を介して枢支して、その前面側に向かって片開き可能に内枠３が支持されている。内枠３には、遊技盤５が装着され、その下方に発射機構（図示せず）が設けられている。また、内枠３の一側に遊技盤５を透明板を介して視認し得る窓部を備えた前面枠６が開閉自在に設けられている。そして、前面枠６の前面に遊技媒体として遊技球を貯留する球受皿９（貯留皿）が設けられている。また、その下部側方に遊技球の発射力を調節する発射ハンドル１１が設けられている。
【００１７】
遊技盤５は、盤面（前面）にガイドレール４によって全体として略円形に区画された遊技領域５ａが形成されている。遊技領域５ａの中央には飾り枠１８ａに液晶表示部を備えた表示装置１８が搭載され、表示装置１８の下方（遊技領域５ａの中央下部）には入賞により液晶表示部を変動表示させる電動チューリップ（電チュー）にて構成される始動口２０が配置されている。また、始動口２０の下方には電気的駆動源により扉が開閉する大入賞口１９（アタッカー）が配置されている。そして、表示装置１８の側方に始動口２０を開閉させる通過チャッカー２１、遊技球の流下を変化させる風車２２が設けられている。
【００１８】
また、図２  に示すように、ぱちんこ機１の背面側に、ぱちんこ機１が設置されるホールの島から遊技球が供給される貯留タンク２５が設けられ、球通路２６を介して貸球及び賞球として遊技球を球受皿へ払い出す球払出装置２７（払出手段）が設けられている。そして、その下方に球払出装置２７から払い出された遊技球を球受皿９に導く排出通路２８（通路樋）が設けられている。
【００１９】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００２０】
球受皿９は、図６に示すように貯留した遊技球を整流して発射機構に遊技球を供給する上皿部９ａとその下方に上皿部９ａからの溢れ球を貯留する下皿部９ｂを備えている。そして、下皿部９ｂの底壁には球抜き孔３０（排出孔）が開設され、下面に球抜き孔３０の開口に沿ってリブ３１が周設されている。また、球受皿９は、図３に示すように下面が開放し遊技球が貯留される上皿部９ａ及び下皿部９ｂの周面（周側）を覆うカバー体３２が設けられ、上皿部９ａの下方のカバー体３２内にスピーカー３３が設けられている。そして、球受皿９（カバー体３２）の開放下面を閉塞するように、下皿部９ｂの下面と所定の間隔をもって枠体３５が設けられている。これにより、球受皿９の下面の略全体が枠体３５で覆われることになり、スピーカー音が透音孔４３から発せられる。なお、カバー体３２に上皿部９ａの下方に所定の間隔をもって仕切壁３７が設けられており、この仕切壁３７は上皿部９ａと下皿部９ｂとを仕切ると共に下皿部９ｂの上壁を兼ねている。
【００２１】
枠体３５は、図４に示すようにフェノール樹脂等の難燃・不燃部材により所定の高さの周壁３４を有する有底箱枠状に形成され、ホールの監視から最も見難い球受皿９の下面から放火されても変形したり着火したりしないようになっている。実施例において周壁３４は約１５ｍｍ〜２０ｍｍの高さを有して形成されている。また、底部には下皿部９ｂの球抜き孔３０と連通する筒状の球落下孔３６が設けられている。そして、枠体３５内には、上皿部９ａから垂設されたボス３８に合致し、下皿部９ｂと所定の間隔を保持する取付ボス３９が突設されている。また、枠体３５には球抜き装置が設けられ、球抜き装置は球落下孔３６と下皿部９ｂの底部との間に位置して球抜き孔３０を開放すべく左右方向に移動自在な球抜部材４０（開閉部材）と、この球抜部材４０を球抜き孔３０を閉じる方向に付勢する付勢部材としてのスプリング４１が配設される。スプリング４１は、枠体３５の底部に球抜部材４０のスライド方向に形成される２条のリブ壁４２，４２間に位置して設けられる。また、スピーカー３３の対向面には１ｍｍ程度の複数の小径からなる透音孔４３が放射状に穿設されている。なお、難燃・不燃部材は、フェノール樹脂等の熱硬化性樹脂はもちろんのこと、熱可塑性のＡＢＳ樹脂やポリエチレン，ポリアミド等の樹脂に難燃材（ハロゲン化合物、リン化合物、無機化合物）を添加したり、分子骨格に芳香族環構造を導入したりするようにして難燃性を高めるようにしてもよい。また、難燃・不燃部材は、１ｍｍ程度の厚みを有するアルミニウム，ステンレス鋼であってもよく、ステンレス鋼にすると球受皿の下面に簡単に孔を開けることができないため、不法に開けた孔からピアノ線等の不正具を差し込んで行う不正行為を未然に防止する事が出来る。
【００２２】
球抜部材４０は、球抜き孔３０を閉鎖する幅広の板状部４０ａと、球抜部材４０をスプリング４１の付勢に抗して球抜き孔３０を開く方向に操作する操作部４０ｂが耐火性樹脂等の難燃・不燃部材により一体に形成され、操作部４０ｂは枠体３５の切欠４４から前方に突出するようにしている。またスプリング４１は、枠体３５の鉤部４５に一端が係止され、他端が球抜部材４０の一端下面に形成されるフックに係止されており、スプリング４１の付勢に抗して操作部４０ｂを水平にスライドさせることにより球抜き孔３０が開放して球抜動作を行ない、操作部４０ｂから手を離すとスプリング４１の付勢力により球抜部材４０が復動して球抜き孔３０を閉鎖するようになっている。また、枠体３５内に球抜き装置（スプリング４１，球抜部材４０）を区画する区画壁を設けるようにしてもよい。なお、上皿部９ａと下皿部９ｂとを仕切る仕切壁３７も枠体３５と同様に耐火性樹脂等の難燃・不燃部材により形成するのが好ましく、下皿部９ｂにテッシュペーパー等を丸めて、ライター等で火を付けたとしても仕切壁３７が耐火性樹脂等の難燃・不燃部材により形成され、しかも上皿部９ａと所定の間隔をもって設けられているため変形したり着火したりすることはない。
【００２３】
上記構成の球受皿９は、枠体３５に球抜部材４０及びスプリング４１を装着した状態で、枠体３５の取付ボス３９をボス３８と合致させ球受皿９の下方に枠体３５がビス４６により着脱自在に取り付けられる。このように、球受皿９の下面全体を難燃・不燃部材により形成した枠体３５で閉塞することで、球受皿９の下部部分へライター等の炎を接炎する放火による悪戯があっても、枠体３５が変形したり着火して火災を起こしたりすることがない。さらに、枠体３５を下皿部９ｂと所定の間隔をもって取付けているため、強火で放火されたとしても下皿部９ｂに熱が伝わらず下皿部９ｂが変形することも焦げることもなく、ましてや下皿部９ｂが発火してぱちんこ機１が焼損して使用できなくなることはない。
【００２４】
また、近年遊技機のデザインが凝ってきて前面枠と貯留皿が一体的に前面側に突出したものがあるが、そういった遊技機の前面枠の下面を難燃又は不燃部材により形成され皿部の下面に設けられる枠体の一部を延設して被覆するようにしてもよい。つまり、前方に突出した遊技機の下面の略全体を難燃又は不燃部材により覆うことになる。これにより、遊技機の下方から隠れて放火されたとしても変形したり着火したりすることがなく、火災という大事にいたることがない。
【００２５】
なお、上記実施例において、貯留皿を上皿部と下皿部を備えるものとして設明したが、上皿部と下皿部の機能を１つの皿部に備えるようにしてもよい。また、遊技機として実施例において遊技球を遊技媒体として遊技盤面に打ち込んで遊技をするぱちんこ機を例に説明したが、雀球遊技機，アレンジボール式遊技機であってもよく、さらに遊技媒体としてコイン（遊技球）を賭数として投入して遊技を行う回胴式又は画像式のスロット遊技機等にも本発明を適用することができる。
【符号の説明】
【００２６】
１            ぱちんこ機（遊技機）
９            球受皿（貯留皿）
９ａ          上皿部
９ｂ          下皿部
１９          大入賞口（入賞口）
２０          始動口（入賞口）
２７          球払出装置（払出手段）
２８          排出通路（通路樋）
３０          球抜き孔（排出孔）
３２          カバー体
３３          スピーカー
３５          枠体
３６          球落下孔（落下口）
４０          球抜部材
４３          透音孔
【図１】
2011167456.tif 000003
【図２】
2011167456.tif 000004
【図３】
2011167456.tif 000005
【図４】
2011167456.tif 000006
【図５】
2011167456.tif 000007
【図６】
2011167456.tif 000008